(57)【要約】      （修正有）【課題】補助表示シートの管理を容易にし、補助表示シートの紛失等を抑制できる看板立てを提供する。【解決手段】看板立ては、看板立て本体１と、シート収納ポケット２１を備える。看板立て本体１は、中空状に形成され、本体表板２及び本体裏板３の間に内部空間ＩＡを有する。本体表板の板表面２Ａには、表示板が取付けられる。シート収納ポケットは、看板立て本体に設けられ、表示板の板表面に取外自在に取付けられる補助表示シートＺを収納する。シート収納ポケットは、本体表板及び本体裏板の間に形成されて、補助表示シートを収納するシート収納部２２と、シート収納部に開口して本体裏板に形成されて、補助表示シートをシート収納部に出し入れするシート出入口２３を有する。【選択図】図６
0003222558.tif 000002
【実用新案登録請求の範囲】
【請求項１】
中空状に形成され、本体表板及び本体裏板の間に内部空間を有し、表示板が前記本体表板の板表面に取付けられる看板立て本体と、
前記本体表板の板裏面側の前記看板立て本体に設けられ、前記表示板の板表面に取外自在に取付けられる補助表示シートを収納するシート収納ポケットと、を備え、
前記シート収納ポケットは、
前記本体表板及び前記本体裏板の間の前記内部空間に形成され、前記補助表示シートを収納するシート収納部と、
前記シート収納部に開口して前記本体裏板に形成され、前記補助表示シートを前記シート収納部に出し入れするシート出入口と、
を有することを特徴とする看板立て。
【請求項２】
表示板が本体板の板表面に取付けられる看板立て本体と、
前記本体板の板裏面側の前記看板立て本体に設けられ、前記表示板の板表面に取外自在に取付けられる補助表示シートを収納するシート収納ポケットと、を備え、
前記シート収納ポケットは、
前記補助表示シートを収納するシート収納部と、
前記シート収納部に開口して形成され、前記補助表示シートを前記シート収納部に出し入れするシート出入口と、
を有することを特徴とする看板立て。
【請求項３】
表示板が本体表面に取付けられる看板立て本体と、
前記看板立て本体の本体裏面側の前記看板立て本体に設けられ、前記表示板の板表面に取外自在に取付けられる補助表示シートを収納するシート収納ポケットと、を備え、
前記シート収納ポケットは、
前記補助表示シートを収納するシート収納部と、
前記シート収納部に開口して形成され、前記補助表示シートを前記シート収納部に出し入れするシート出入口と、
を有することを特徴とする看板立て。
【考案の詳細な説明】
【技術分野】
【０００１】
本考案は、広告・標識等の表示板（看板）や注意喚起の表示板（看板）を路上や工場内に設置するための看板立てに関する。
【背景技術】
【０００２】
特許文献１は、工事看板を開示する。工事看板は、工事中を表示した金属製の表示板、及び交通標語（交通安全）を表示したマグネットシートを備える。特許文献１では、工事以外の時間帯にマグネットシートを表示板に取付けて表替えをする。
【先行技術文献】
【特許文献】
【０００３】
【特許文献１】特開２００１−３５０４１７号公報
【考案の概要】
【考案が解決しようとする課題】
【０００４】
しかし、特許文献１では、工事中、マグネットシートを看板と別々に管理する必要があり、マグネットシートを紛失等する虞がある。
【０００５】
本考案は、補助表示シートの管理を容易にし、補助表示シートの紛失等を抑制できる看板立てを提供することにある。
【課題を解決するための手段】
【０００６】
本考案に係る請求項１は、中空状に形成され、本体表板及び本体裏板の間に内部空間を有し、表示板が前記本体表板の板表面に取付けられる看板立て本体と、前記本体表板の板裏面側の前記看板立て本体に設けられ、前記表示板の板表面に取外自在に取付けられる補助表示シートを収納するシート収納ポケットと、を備え、前記シート収納ポケットは、前記本体表板及び前記本体裏板の間の前記内部空間に形成され、前記補助表示シートを収納するシート収納部と、前記シート収納部に開口して前記本体裏板に形成され、前記補助表示シートを前記シート収納部に出し入れするシート出入口と、を有することを特徴とする看板立てである。
【０００７】
本考案に係る請求項２は、表示板が本体板の板表面に取付けられる看板立て本体と、前記本体板の板裏面側の前記看板立て本体に設けられ、前記表示板の板表面に取外自在に取付けられる補助表示シートを収納するシート収納ポケットと、を備え、前記シート収納ポケットは、前記補助表示シートを収納するシート収納部と、前記シート収納部に開口して形成され、前記補助表示シートを前記シート収納部に出し入れするシート出入口と、を有することを特徴とする看板立てである。
【０００８】
本考案に係る請求項３は、表示板が本体表面に取付けられる看板立て本体と、前記看板立て本体の本体裏面側の前記看板立て本体に設けられ、前記表示板の板表面に取外自在に取付けられる補助表示シートを収納するシート収納ポケットと、を備え、前記シート収納ポケットは、前記補助表示シートを収納するシート収納部と、前記シート収納部に開口して形成され、前記補助表示シートを前記シート収納部に出し入れするシート出入口と、
を有することを特徴とする看板立てである。
【考案の効果】
【０００９】
本考案によれば、補助表示シートの不使用時、補助表示シートは、看板立て本体のシート収納ポケットに収納する。
これにより、補助表示シートは、看板立てと同時に管理でき、紛失等することを抑制できる。
本考案では、補助表示シートの使用時、補助表示シートをシート収納ポケットから取出して、表示板の板表面に取付けることができる。
【図面の簡単な説明】
【００１０】
【図１】看板立てを示す表側面図である。
【図２】看板立てを示す裏側面図である。
【図３】図１のＡ−Ａ断面図である。
【図４】図１のＢ−Ｂ断面拡大図である。
【図５】図２のα矢視拡大図である。
【図６】図３のβ矢視拡大図である。
【図７】図２のＣ−Ｃ断面拡大図である。
【図８】看板立てを立てた表側斜視図である。
【図９】看板立てを立てた裏側斜視図である。
【図１０】看板立てを立てて、本体表板（本体板）の板表面に表示板を取付けた表側斜視図である。
【図１１】看板立てを立てて、表示板の板表面に補助表示シートを取付けた表側斜視図である。
【図１２】図３のβ矢視において、他の実施形態の看板立てを示す断面拡大図である。
【考案を実施するための形態】
【００１１】
本考案に係る看板立てについて、図１乃至図１２を参照して説明する。
【００１２】
図１乃至図１１において、看板立てＸは、看板立て本体１と、シート収納ポケット２１と、脚体３１を備える。
【００１３】
看板立て本体１は、図１乃至図１１に示すように、高密度ポリエチレン樹脂等の合成樹脂をブロー成形して中空状に形成される。看板立て本体１は、例えば、中空状の扁平長方体形状に形成される。
看板立て本体１は、図１乃至図６、図８及び図９に示すように、本体表板２（本体板）、本体裏板３、看板枠４、及び複数（一対）の本体脚５，６（本体脚部）を備え、本体表板２及び本体裏板３の間に内部空間ＩＡ（中空部）を有する。看板立て本体１において、本体表板２、本体裏板３、看板枠４及び各本体脚５，６は、ブロー成形によって一体に形成される。
看板立て本体１は、表示板Ｙが本体表板２（本体板）の板表面２Ａ（本体表面）に取付けられる（図１０参照）。表示板Ｙは、図１０に示すように、例えば、工事現場において、工事中を示す標識板（標識の看板）であって、板表面Ｙ１に「工事中」の文字情報を有する。表示板Ｙは、例えば、鉄、ステンレス等の磁性体で矩形板（長方形板）に形成される。
【００１４】
本体表板２（本体板）及び本体裏板３は、図１乃至図３に示すように、長方形状の板体（長方形板）に形成される。本体表板２、及び本体裏板３は、各板裏面２Ｂ，３Ｂの間に内部空間ＩＡ（間隔）を隔てて平行に配置される。
【００１５】
看板枠４は、図１乃至図６に示すように、本体表板２の周縁（長方形縁）、及び本体裏板３の周縁（長方形縁）に沿って配置される。看板枠４は、本体裏板３の板裏面３Ｂから本体表板２に延在され、本体表板２の板表面２Ａから突出される。看板枠４は、板挿入口７及び複数の板押え片８を有する。
【００１６】
板挿入口７は、図１及び図８に示すように、本体表板２（本体裏板３）の長手方向ＵＤ（上下方向）において、看板枠４の一方の枠端（枠上端）に開口して、本体表板２（本体板）の板表面２Ａに連通される。
【００１７】
各板押え片８は、図１、図３、図４及び図８に示すように、本体表板２（本体裏板３）の短手方向ＬＲ（左右方向）において、看板枠４の各枠部９，１０，１７（右枠部９，左枠部１０，下枠部１７）に配置される。各板押え片８は、長手方向ＵＤに間隔を隔てて配置されて、各枠部９，１０，１７（看板枠４）に一体に形成される。各板押え片８は、本体表板２（板表面２Ａ）に隙間を隔てて配置される。各板押え片８は、各枠部９，１０，１７から本体表板２（板表面２Ａ）上に突出される。
【００１８】
各本体脚５，６は、図１乃至図３、図８及び図９に示すように、短手方向ＬＲ（左右方向）に間隔を隔てて配置される。各本体脚５，６は、長手方向ＵＤ（上下方向）において、看板枠４の他方の枠端（枠下端）に形成される。各本体脚５，６は、長手方向ＵＤにおいて、看板枠４の下端から突出される。
【００１９】
本体裏板３は、図２乃至図４、及び図９に示すように、複数（一対）の脚収納溝１１，１２、及び傾斜裏板部１３を有する。
【００２０】
各脚収納溝１１，１２は、図２、図５及び図９に示すように、短手方向ＬＲ（左右方向）において、本体裏板３の各板端３Ｃ，３Ｄ側（板右端３Ｃ側，板左端３Ｄ側）に配置される。各脚収納溝１１，１２は、長手方向ＵＤに延在されて、各本体脚５，６の脚下端及び本体裏板３の板表面３Ａに開口される。各脚収納溝１１，１２は、例えば、本体裏板３（板表面３Ａ）を内部空間ＩＡ（本体表板２側）に凹ませて形成される。
【００２１】
傾斜裏板部１３は、図２、図５及び図６に示すように、長手方向ＵＤ（上下方向）の中央に形成される。傾斜裏板部１３は、長手方向ＵＤ（上下方向）の上方（看板枠４の枠上端）及び内部空間ＩＡ（本体表板２）に向けて延在しつつ傾斜される。
【００２２】
シート収納ポケット２１は、図２、図３、図５、図６及び図８に示すように、本体表板２（本体板）の板裏面２Ｂ側（本体裏面側）の看板立て本体１に設けられる。シート収納ポケット２１は、例えば、ブロー成形によって看板立て本体１と一体に形成される。
【００２３】
シート収納ポケット２１は、図２、図３、図５、図６及び図９に示すように、補助表示シートＺを収納する。補助表示シートＺは、表示板Ｙの板表面Ｙ１に取外自在に取付けられる（図１１参照）。補助表示シートＺは、図１１に示すように、例えば、「休工中（工事休止中）」を示す標識板であって、板表面Ｚ１に「休工中」の文字情報を有する。補助表示シートＺの文字情報は、例えば、表示板Ｙの文字情報の内容を変更する情報である。文字情報は、文字、図形及び記号を含む（以下、同様）。
補助表示シートＺは、例えば、マグネットシートで矩形板（長方形板）に形成される。補助表示シートＺは、図５及び図６に示すように、シート長Ｌ及びシート幅Ｈである。
【００２４】
シート収納ポケット２１は、図２及び図５に示すように、各脚収納溝１１，１２の間に配置される。シート収納ポケット２１は、図２に示すように、長手方向ＵＤ（上下方向）において、看板立て本体１の中央に配置される。
シート収納ポケット２１は、図２、図３、図５、図６及び図９に示すように、シート収納部２２（シート収納空所ＳＡ）、及びシート出入口２３を有する。
【００２５】
シート収納部２２は、図５及び図６に示すように、補助表示シートＺを収納する。シート収納部２２は、図６に示すように、本体表板２及び本体裏板３の間の内部空間ＩＡに形成される。
シート収納部２２は、シート止板２４を有し、シート止板２４及び本体裏板３で形成（構成）される。シート止板２４は、長手方向ＵＤ（上下方向）において、傾斜裏板部１３より下方（各本体脚５，６側）に配置される。シート止板２４は、内部空間ＩＡに配置されて、本体表板２及び本体裏板３の間に延在される。シート止板２４は、本体表板２及び本体裏板３と一体に形成され、傾斜裏板部１３、本体表板２及び本体裏板３の間にシート収納空所ＳＡを区画する。
【００２６】
シート出入口２３は、図２、図５、図６及び図９に示すように、補助表示シートＺをシート収納部２２（シート収納空所ＳＡ）に出し入れする。シート出入口２３は、傾斜裏板部１３（本体裏板４）に形成され、シート収納部２２（シート収納空所ＳＡ）に開口する。
シート出入口２３は、図５示すように、例えば、矩形口（長方形口／長方形穴）に形成され、短手方向ＬＲ（左右方向）に口幅ＳＨを有する。
シート出入口２３の口幅ＳＨは、補助表示シートＺのシート幅Ｈより広い幅（幅広）に形成される。
【００２７】
シート収納ポケット２１は、図６に示すように、長手方向ＵＤ（上下方向）において、シート止板２４及びシート出入口２３の間の深さＤ（距離）を補助表示シートＺのシート長Ｌより短くして、シート止板２４を内部空間ＩＡに配置する。
シート収納部２２の深さＤは、補助表示シートＺのシート長Ｌより浅く（短く）して、補助表示シートＺの一部をシート出入口２３から外側に突出して、補助表示シートＺをシート収納部２２に収納できる深さにする。シート収納部２２の深さＤは、例えば、補助表示シートＺのシート長Ｌの２／３［Ｄ＝（２／３）×Ｌ］とする。
【００２８】
脚体３１は、図２、図４、図７及び図９に示すように、複数（一対）の軸受３２，３３、複数（一対）の脚３４，３５、及び連結軸３６を有する。
【００２９】
各軸受３２，３３は、図２及び図９に示すように、各脚収納溝１１，１２の間において、長手方向ＵＤ（上下方向）の上方（看板枠の枠上端側）に配置される。各軸受３２，３３は、本体裏板３の板表面３Ａに配置されて、ボルト・ナットにて本体裏板３（看板立て本体１）に取付け固定される。
【００３０】
各脚３４，３５は、図２に示すように、各脚収納溝１１，１２内に配置（収納）される。各脚３４，３５は、長手方向ＵＤにおいて、各軸受３２，３３及び各本体脚５，６の下端の間に延在される。各脚３４，３５は、短手方向ＬＲ（左右方向）に突出する回動軸３７を有する。各脚３４，３５は、図２、図７及び図９に示すように、回動軸３７を各軸受３２，３３に回動自在に挿入して、各軸受３２，３３（看板立て本体１）に回動自在に軸支される。
【００３１】
連結軸３６は、図２に示すように、長手方向ＵＤ（上下方向）の下端側に配置されて、各脚３４，３５の間に延在される。連結軸３６は、各脚３４，３５に連結される。
【００３２】
脚体３１は、図７に示すように、各脚３４，３５を各脚収納溝１１，１２内に収納した状態から看板立て本体１（本体裏板３）から離間するように回転されて、看板立て本体１（本体裏板３）に対して角度θを有して傾斜される（図９参照）。各脚３４，３５は、図７（ｂ）に示すように、角度θにおいて、本体裏板３に当接して、回転が規制される。
【００３３】
看板立てＸは、図８及び図９に示すように、脚体３１を回転して、各脚３４，３５を各脚収納溝１１，１２から引出す。
これにより、脚体３１は、各脚３４，３５を看板立て本体１に対して角度θ［図７（ａ）参照］を隔てて配置される。
【００３４】
続いて、看板立てＸは、各本体脚５，６、及び各脚３４，３５を地面に当接して、地面に立てられる（設置される）。
【００３５】
看板立てＸを地面に設置すると、図１０に示すように、表示板Ｙを看板立て本体１に取付ける。
表示板Ｙは、図８及び図１０に示すように、表示板Ｙの板裏面Ｙ２を本体表板２の板表面２Ａに当接して、板挿入口７から本体表板２の板表面２Ａ上に配置される。表示板Ｙは、図１０に示すように、各板押で片８及び本体表板２の板表面２Ａの間に挿入され、及び看板枠４の下枠部１７に当接して、本体表板２（本体板）に取付けられる。
【００３６】
補助表示シートＺは、使用しない時、図５、図６及び図９に示すように、長さ方向の一方のシート端ＺＡからシート出入口２３に挿入されて、シート収納部２２（シート収納空所ＳＡ）に収納される。補助表示シートＺは、例えば、板裏面Ｚ２を本体表板２の板裏面２Ｂに対峙して、シート収納部２２に収納される。
補助表示シートＺは、図６に示すように、シート収納部２２内（シート収納空所ＳＡ内）において、一方のシート端ＺＡをシート止板２４に当接して配置される。
これにより、補助表示シートＺは、図６に示すように、他方のシート端ＺＢ側をシート出入口２３から外側に突出し、及びシート出入口２３から突出した板裏面Ｚ２を本体裏板３（板表面３Ａ）に当接して、シート収納部２２（シート収納空所ＳＡ）に収納される。
【００３７】
補助表示シートＺは、使用の時、長手方向ＵＤ（上下方向）の上方に引上げられて、シート出入口２３を通して、シート収納部２２から取出して、図１１に示すように、表示板Ｙに取付けられる。
補助表示シートＺは、図１１に示すように、シート裏面Ｚ２から表示板Ｙの板表面Ｙ１に当接され、磁力によって表示板Ｙの板表面Ｙ１に取付けられる。
【００３８】
補助表示シートＺの使用を解除する時は、補助表示シートＺを表示板Ｙから剥がして（取外して）、再び、シート収納ポケット２１に収納する。
【００３９】
看板立てＸでは、看板立て本体１をブロー成形で中空状に形成して本体表板２及び本体裏板３を有する構成の他に、図１２に示すように、看板立て本体１を構成して、シート収納ポケット２１は、看板立て本体１の本体裏面３Ａ側（本体表板２の板裏面２Ｂ側）の看板立て本体に設けることも採用でき、以下、図１２を参照して説明する。
なお、図１２において、図１乃至図１１と同一符号は、同一部材、同一構成であるので、その詳細な説明は省略する。
【００４０】
図１２において、看板立て本体１は、本体表面２Ａ（本体表板２の板表面２Ａ）に表示板Ｙが取付けられる。
看板立て本体１は、図１２に示すように、長手方向ＵＤ（上下方向）の中央に収納凹所４１を有する。収納凹所４１は、長手方向ＵＤ（上下方向）に凹み長ＬＡを有して、各脚収納溝１１，１２の間に形成される。収納凹所４１は、例えば、看板立て本体１の本体裏面３Ａ（本体裏板３）を本体表面２Ａ側（本体表板２側）に凹ませて形成される。
【００４１】
図１２において、シート収納ポケット２１は、看板立て本体１の本体裏面３Ａ側（本体表板２の板裏面２Ｂ側）の看板立て本体１に設けられる。シート収納部２２は、図１２に示すように、収納凹所４１及び収納板４２で形成される。収納板４２は、例えば、矩形状の板（金属板、合成樹脂板等）で形成される。収納板４２は、図１２に示すように、収納凹所４１の開口４１Ａの一部を覆って看板立て本体１の本体裏面３Ａ（本体裏板３の板表面３Ａ）にネジ４５等によって固定される。収納板４２は、長手方向ＵＤ（上下方向）において、収納凹所４１の上方側を開放（開口）して看板立て本体１の本体裏面３Ａ（本体裏板３の板表面３Ａ）に固定される。
これにより、シート収納部２２は、図１２に示すように、収納凹所４１及び収納板４２で形成（構成）され、看板立て本体１（本体表板２）、収納板４２の間にシート収納空所ＳＡを区画する。
シート収納部２２は、図１２に示すように、収納凹所４１において、長手方向ＵＤ（上下方向）の各脚５，６側にシート止め４３（シート止め面／下面）を有する。
【００４２】
図１２において、シート出入口２３は、長手方向ＵＤ（上下方向）において、シート収納部２２に開口して収納凹所４１の上面４１Ｂ及び収納板４２の板上端４２Ａの間に形成される。シート出入口２３は、例えば、矩形口（長方形口／長方形穴）に形成され、短手方向ＬＲ（左右方向）に口幅ＳＨを有する。
【００４３】
図１２において、シート収納ポケット２１は、長手方向ＵＤ（上下方向）において、シート止め４３及びシート出入口２３の間に深さＤ（距離）を有する。
【００４４】
図１２において、補助表示シートＺは、使用しない時、長さ方向の一方のシート端ＺＡからシート出入口２３に挿入されて、シート収納部２２（シート収納空所ＳＡ）に収納される。補助表示シートＺは、例えば、板裏面Ｚ２を看板立て本体１の本体表面２Ａ（本体表板２の板表面２Ａ）に対峙して、シート収納部２２に収納される。
図１２において、補助表示シートＺは、シート収納部２２内（シート収納空所ＳＡ内）において、一方のシート端ＺＡをシート止め４３に当接して配置される。
これにより、補助表示シートＺは、図１２に示すように、他方のシート端ＺＢをシート出入口２３から外側に突出し、及びシート出入口２３から突出した板裏面Ｚ２を看板立て本体１の本体裏面３Ａ（本体裏板３の板表面３Ａ）に当接して、シート収納部２２（シート収納空所ＳＡ）に収納される。
【００４５】
図１２において、補助表示シートＺは、使用の時、長手方向ＵＤ（上下方向）の上方に引上げられて、シート出入口２３を通して、シート収納部２２から取出して、図１１に示すように、表示板Ｙの板表面Ｙ１に取付けられる。
【００４６】
看板立てＸでは、表示板Ｙは、工事現場で使用する標識に限定されず、商店で使用される広告等の看板や注意喚起の看板でも良く、補助表示シートＺも工事現場で使用する標識に限定されない。
看板立てＸでは、補助表示シートＺは、マグネットシートに限定されず、合成樹脂シート、金属シートであっても良く、合成樹脂シート、金属シート等を接着テープ等の接着剤を使用して表示板Ｙの板表面Ｙ１に取外自在に取付ける。
【産業上の利用可能性】
【００４７】
本考案は、広告・標識等の表示板（看板）や注意喚起の表示板（看板）を路上や工場内（工場内外）に設置するのに最適である。
【符号の説明】
【００４８】
Ｘ  看板立て
Ｙ  表示板
Ｙ１  板表面（表示板）
Ｚ  補助表示板
１  看板立て本体
ＩＡ  内部空間
２  本体表板（本体板）
２Ａ  板表面
２Ｂ  板裏面
３  本体裏板
２１  シート収納ポケット
２２  シート収納部
２３  シート出入口
【図１】
0003222558.tif 000003
【図２】
0003222558.tif 000004
【図３】
0003222558.tif 000005
【図４】
0003222558.tif 000006
【図５】
0003222558.tif 000007
【図６】
0003222558.tif 000008
【図７】
0003222558.tif 000009
【図８】
0003222558.tif 000010
【図９】
0003222558.tif 000011
【図１０】
0003222558.tif 000012
【図１１】
0003222558.tif 000013
【図１２】
0003222558.tif 000014